(57)【要約】【課題】  本願発明は、金融取引を実行する自動取引装置において、汎用品であるタブレット端末を搭載して利用者に対して広告情報を出力すると共に、タブレット端末にて、広告情報に応じて利用者による入力を受付けるが、ＯＳの提供するアプリケーション切替や機能切替メニューを利用者に操作させない、運用効率の高い広告表示機能付き自動取引装置及びそれを用いた広告配信システムを提供することを目的とする。【解決手段】  本願発明は、利用者の入力操作を受け付ける第１入力表示部と、第１入力表示部にて入力された情報に基づいて取引処理を実行する制御部と、を有する自動取引装置において、自動取引装置は、利用者に第２入力表示部を有し、第２入力表示部は、入力表示端末と、入力表示端末の入力表示領域を一部覆う操作制限部と、を有することを特徴とする。【選択図】図２
2017138640.tif 000002
【特許請求の範囲】
【請求項１】
利用者の入力操作を受け付ける第１入力表示部と、
前記第１入力表示部にて入力された情報に基づいて取引処理を実行する制御部と、を有する自動取引装置において、
前記自動取引装置は、
利用者に広告情報を表示する第２入力表示部を有し、前記第２入力表示部は、
入力表示端末と、前記入力表示端末の入力表示領域を一部覆う操作制限部と、を有することを特徴とする自動取引装置。
【請求項２】
勘定系サーバと通信し、第１入力表示部にて入力された情報に基づいて取引処理を実行する自動取引装置であって、
前記自動取引装置は、
広告配信サーバから受信した広告情報を受信し表示する第２入力表示部を有し、
前記第２入力表示部は、
入力表示端末と、前記入力表示端末の入力表示領域を一部覆う操作制限部と、を有することを特徴とする自動取引装置。
【請求項３】
前記操作制限部は、絶縁材料で構成されることを特徴とする請求項１又は２に記載の自動取引装置。
【請求項４】
前記操作制限部は、
前面固定部と背面固定部に挟持されることにより、前記入力表示端末と接触して固定され、前記入力表示領域の縁部を覆うことを特徴とする請求項１〜３のいずれかに記載の自動取引装置。
【請求項５】
前記操作制限部は、
前入力表示領域のアプリケーション切替ボタン或いは機能切替メニュー表示領域を覆うことを特徴とする請求項１〜４のいずれかに記載の自動取引装置。
【請求項６】
前記入力表示端末は、前記操作制限部に覆われていない入力表示領域に応じて画面表示することを特徴とする請求項１〜５のいずれかに記載の自動取引装置。
【請求項７】
前記第２入力表示部は、
前記自動取引装置或いは前記勘定系サーバから入手した利用者情報に基づいて選択した広告情報を表示することを特徴とする請求項１〜６のいずれかに記載の自動取引装置。
【請求項８】
勘定系サーバと、
前記勘定系サーバと通信し、第１入力表示部にて入力された情報に基づいて取引処理を実行する自動取引装置と、
前記勘定系サーバと通信し、前記勘定系サーバからの利用者情報に基いて配信すべき広告情報を選択する広告配信サーバと、
前記広告配信サーバから送信された広告情報を表示する第２入力表示部と、を有する広告配信システムであって、
前記第２入力表示部は、
入力表示端末と、前記入力表示端末の入力表示領域を一部覆う操作制限部と、を有することを特徴とする広告配信システム。
【請求項９】
前記操作制限部は、絶縁材料で構成されることを特徴とする請求項８に記載の広告配信システム。
【請求項１０】
前記操作制限部は、
前面固定部と背面固定部に挟持されることにより、前記入力表示端末と接触して固定され、前記入力表示領域の縁部を覆うことを特徴とする請求項８又は９に記載の広告配信システム。
【請求項１１】
前記操作制限部は、
前記入力表示領域のアプリケーション切替ボタン或いは機能切替メニュー表示領域を覆うことを特徴とする請求項８〜１０のいずれかに記載の広告配信システム。
【請求項１２】
前記入力表示端末は、前記操作制限部に覆われていない入力表示領域に応じて画面表示することを特徴とする請求項８〜１１のいずれかに記載の広告配信システム。
【発明の詳細な説明】
【技術分野】
【０００１】
本願発明は、広告情報を表示するタブレット端末を搭載した自動取引装置及び広告配信システムに関する。
【背景技術】
【０００２】
従来、自動取引処理装置を設置する環境では、利用者へのキャンペーンや注意事項の通知を目的として、自動取引処理装置の上部にディスプレイやタブレット端末を設け、デジタルコンテンツで広告を表示することで利用者への通知を行なう場合がある。例えば、特許文献１では、自動機に搭載したタブレット端末に動画広告情報を配信するシステムについて記載されている。
【０００３】
また、タブレット端末のＯＳ（Ｏｐｅｒａｔｉｎｇ Ｓｙｓｔｅｍ）では、画面上にアプリケーションの切替えを行うソフトウェアボタンや、通常は画面表示しないが特定のタッチパネル操作を行うことで表示する機能切替メニューなどが存在し、無人で取引を行う装置では、利用者がアプリケーション切替や機能切替を操作できるため、装置の継続運用の観点から望ましくない。そこで、特許文献２では、デスクトップ画面の全面をオーバーラップ画面で覆い、さらに前面にアプリケーション実行画面を表示する方法が記載されている。
【先行技術文献】
【特許文献】
【０００４】
【特許文献１】特開２００４−１４２８９６号公報
【特許文献２】特開２００９−２８２８４６号公報
【発明の概要】
【発明が解決しようとする課題】
【０００５】
本願発明は、金融取引を実行する自動取引装置において、汎用品であるタブレット端末を搭載して利用者に対して広告情報を出力すると共に、タブレット端末にて、広告情報に応じて利用者による入力を受付けるがＯＳの提供するアプリケーション切替や機能切替メニューを利用者に操作させない、運用効率の高い自動取引装置及び広告配信システムを提供することを目的とする。
【課題を解決するための手段】
【０００６】
本願発明は、利用者の入力操作を受け付ける第１入力表示部と、第１入力表示部にて入力された情報に基づいて取引処理を実行する制御部と、を有する自動取引装置において、自動取引装置は、利用者に第２入力表示部を有し、第２入力表示部は、入力表示端末と、入力表示端末の入力表示領域を一部覆う操作制限部と、を有することを特徴とする。
【発明の効果】
【０００７】
本願発明の構成により、汎用品のタブレット端末を搭載した場合でも、利用者による入力を受け付けつつ、アプリケーション切替や機能切替メニューを操作することを防止することができ、運用効率の高い広告表示機能付き自動取引装置及びそれを用いた広告配信システムを提供することができる。
【図面の簡単な説明】
【０００８】
【図１】本願発明の実施例における現金自動預払機の機能ブロック図。
【図２】本願発明の実施例における現金自動預払機の外観図。
【図３】本願発明の実施例におけるタブレット端末搭載部の外観図。
【図４】本願発明の実施例におけるタブレット端末の操作制限対象及び操作制限部
【図５】本願発明の実施例における広告配信システム図。
【図６】本願発明の実施例における広告画面表示例。
【図７】本願発明の実施例におけるタブレット端末搭載部の外観図。
【発明を実施するための形態】
【０００９】
以下、図面を参照して本願発明の実施例について現金自動預払機を具体例として説明するが、本願発明は下記実施例に制限されるものではない。
図１は、本願発明の実施例における現金自動預払機１００の機器構成を示すブロック図である。図中、１１０は制御部、１２０は制御部１１０の指示に従って表示を行うとともに、利用者が取引種類の選択や操作を行なう利用者操作画面、１３０は制御部１１０の指示に従って取引で使用するカードの処理を行うカードユニット、１４０は制御部１１０の指示に従って取引で使用する通帳の処理を行う通帳ユニット、１５０は制御部１１０の指示に従って紙幣の入出金処理を行う紙幣ユニット、１６０は制御部１１０の指示に従って硬貨の入出金処理を行う硬貨ユニット、１７０は制御部１１０の記憶領域である記憶部、１８３はタブレット端末、である。なお、タブレット端末１８３にはデジタルコンテンツを表示するアプリケーションを含んでいる。ここで、タブレット端末１８３と制御部１１０とは必ずしも接続されていなくて良いが、図１に示すように接続されている場合は、制御部１１０により、現金自動預払機１００からの利用者情報に基づいてタブレット端末１８３で再生する広告情報を選択することが可能となる。この場合、自動取引装置から入手した利用者情報に基づいて選択した広告情報を表示する構成により、利用者の属性に基づいた、より的確な広告を表示することが可能となる。
【００１０】
図２は、本願発明の実施例における現金自動預払機１００の外観図である。図中、１２０は利用者が取引選択など現金自動預払機１００を操作する際に使用する利用者操作画面、１３０ａはカードユニット１３０の一部であるカードの出し入れを行うカード挿入口、１４０ａは通帳ユニット１４０の一部である通帳の出し入れを行う通帳挿入口、１５０ａは紙幣ユニット１５０の一部である紙幣の入出金を行う紙幣入出金口、１６０ａは硬貨ユニット１６０の一部である硬貨の入出金を行う硬貨入出金口、１８０はタブレット端末１８３を搭載する構造部品を含むタブレット搭載部、である。
【００１１】
図３は、本願発明の実施例におけるタブレット搭載部１８０の構成部品の外観図である。１８１はタブレット端末前面固定部、１８２はタブレット中間固定部、１８３はタブレット端末、１８４はタブレット端末背面固定部（下）、１８５はタブレット端末背面固定部（上）、１８６はタブレット端末操作制限部である。実施例では、タブレット端末１８３をタブレット端末操作制限部１８６を含むタブレット端末  前面固定部１８１と、タブレット端末背面固定部（下）１８４およびタブレット端末背面固定部（上）１８５で、タブレット中間固定部１８２に対して挟み込んで固定する。
【００１２】
図４は、タブレット端末１８３のＯＳが具備する機能のうち、現金自動預払機１００の利用者による操作を防止したい機能の例である。１８３はタブレット端末、１８３ａはタブレット端末タッチパネルＬＣＤ、１８３ｂは常時画面に表示するアプリケーション切替等ボタン領域、１８３ｃは通常画面に表示しないがタブレット端末タッチパネルＬＣＤ１８３ａに対して特定の操作を行うと表示する機能切替メニュー、１８３ｄは利用者によるアプリケーション切替等ボタン領域１８３ｂの操作を防止する目的でタブレット端末タッチパネルＬＣＤ１８３ａの下端からタブレット端末操作制限部１８６で覆うボタン操作防止領域、１８３ｅは利用者による機能切替メニュー１８３ｃの表示を防止する目的でタブレット端末タッチパネルＬＣＤ１８３ａの上端からタブレット端末操作制限部１８６で覆うメニュー表示防止領域、１８３ｆはタブレット端末タッチパネルＬＣＤ１８３ａのうちタブレット端末操作制限部１８６によって覆わないタブレット端末表示部、である。
【００１３】
図５は、本願発明の実施例における現金自動預払機１００およびタブレット端末１８３のネットワーク接続を示すシステム構成図である。図２に示した通り、タブレット端末１８３は現金自動預払機１００に搭載しているが、実施例では、現金自動預払機１００とタブレット端末１８３は異なるネットワークでそれぞれのサーバと接続をしており、図３では現金自動預払機１００とタブレット端末１８３を分けて記載している。図３のうち、２００は現金自動預払機１００を接続するルータ、２０１はネットワークを介して現金自動預払機１００と勘定系サーバ３００を接続するルータ、３００は利用者の属性情報、口座情報や現金自動預払機１００で入力された取引の処理に係る情報を持つ勘定系サーバ、２１０はタブレット端末１８３を接続するルータ、２１１はネットワークを介してタブレット端末１８３と広告配信サーバを接続するルータ、４００はデジタルコンテンツを格納し予め決めたスケジュールに従ってデジタルコンテンツをタブレット端末１８３に配信する広告配信サーバ、である。また、図示はしていないが、勘定系サーバ３００からの利用者情報に基づいて、広告配信サーバ４００からの広告情報を取捨選択する目的で、勘定系サーバ３００と広告配信サーバ４００とをネットワークを介して接続する構成とすると好ましい。このように、勘定系サーバから入手した利用者情報に基づいて選択した広告情報を表示する構成により、利用者の属性に基づいた、より的確な広告を表示することが可能となる。この場合、広告配信システム全体としては、勘定系サーバと、勘定系サーバと通信し、利用者操作画面１２０に相当する第１入力表示部にて入力された情報に基づいて取引処理を実行する自動取引装置と、勘定系サーバと通信し勘定系サーバからの利用者情報に基いて配信すべき広告情報を選択する広告配信サーバと、広告配信サーバから送信された広告情報を表示するタブレット端末搭載部に相当する第２入力表示部と、を有する広告配信システムであって、第２入力表示部は、タブレット端末に相当する入力表示端末と、タッチパネルＬＣＤに相当する入力表示端末の入力表示領域を一部覆う操作制限部と、を有する広告配信システムという構成となる。
【００１４】
図６は、本願発明の実施例におけるタブレット端末１８３でのデジタルコンテンツ表示例である。前述のとおり、タッチパネルＬＣＤ１８３ａはタッチパネル端末操作制限部１８６によって覆うため、利用者に露出するのは表示部１８３ｆとなり、デジタルコンテンツは表示部１８３ｆに表示される。図６（ａ）は操作制限部１８６を取り除いてタブレット端末１８３単品のから表示する画面を見た例、図６（ｂ）はタブレット端末操作制限部１８６から表示する画面を見た例、である。
【００１５】
ここで、図３、図４、図６を用いて、本実施例の現金自動預払機１００へのタブレット端末１８３搭載方法および不正操作防止について説明する。
まず、図３が示す現金自動預払機１００へのタブレット端末１８３の搭載方法について示す。タブレット端末の中間固定部１８２およびタブレット端末１８３に対して、前面側にタブレット端末の前面固定部１８１およびタブレット端末の操作制限部１８６、背面側にタブレット端末の背面固定部（下）１８４およびタブレット端末の背面固定部（上）１８５を配置する。タブレット端末の前面固定部１８１とタブレット端末の背面固定部（下）１８４およびタブレット端末の背面固定部（上）１８５とで挟み込むことでタブレット端末１８３を固定する。
【００１６】
続けて、図４が示すタブレット端末の操作制限部１８６による不正操作防止について示す。操作を制限したいボタン、メニューとして、アプリケーション切替等ボタン領域１８３ｂおよび機能切替メニュー１８３ｃの２種類がある。アプリケーション切替等ボタン領域１８３ｂは常時画面に表示しており、領域内のソフトボタンを押下することでアプリケーションの切替や終了、ホーム画面への遷移が発生する。機能切替メニュー１８３ｃは、通常画面に表示しておらずタッチパネルＬＣＤ１８３ａの上端から下方向に指をスワイプすることで表示されるメニューである。これら利用者の操作を防止したいボタン、メニューを絶縁物であるタブレット端末操作制限部１８６で覆い隠すことで、利用者がボタン、メニューを識別することを防止し、仮にタッチ、スワイプを行ってもタッチパネルを反応しなくすることで、利用者による操作を防止する。そのため、操作制限部は、絶縁材料で構成する必要がある。具体的には、ゴム、ガラス或いはプラスチックが挙げられるが、アクリル或いはポリカーボネート等が好ましい。また、操作制限部によって覆うべき対象としては、例えば、入力表示領域の縁部が挙げられるが、実際にはタブレット端末の種類によって様々な構成を取り得るため、タブレット端末毎に異なる機能切替メニューやアプリケーション切替ボタンが表示される領域とすべきである。さらに、操作制限部１８６は、利用者がタッチした場合にタッチパネルＬＣＤ１８３ａが反応しないだけの厚みを有する必要があるが、この厚みはタブレット端末毎に異なる所定厚さ以上とすることが好ましい。また、アプリケーション切替等ボタン領域１８３ｂの操作を防止するために操作制限部１８６で覆う領域はボタン操作防止領域１８３ｄである。ここで、ボタン操作防止領域１８３ｄはアプリケーション切替等ボタン領域ｂよりも大きくしているが、前述の通り、この寸法はタブレット端末タッチパネルＬＣＤ１８３ａのタッチ位置精度によって異なる。
【００１７】
次に、機能切替メニュー１８３ｃの表示を防止するために操作制限部１８６で覆う領域がメニュー表示防止領域１８３ｅである。前記の通り、機能切替メニュー１８３ｃを表示するにはタッチパネルＬＣＤ１８３ａの上端から下方向に指をスワイプする必要があるが、上端から覆うメニュー表示防止領域１８３ｅもタッチパネルＬＣＤ１８３ａのタッチ位置精度によって異なる。以上により、タッチパネルＬＣＤ１８３ａを操作制限部１８６で覆うことで利用者の操作を防止する反面、画面表示も隠すことになり、表示部１８３ｆが利用者が閲覧可能な領域となる。このように、利用者の入力操作を受け付ける利用者操作画面１２０に相当する第１入力表示部と、第１入力表示部にて入力された情報に基づいて取引処理を実行する制御部と、を有する自動取引装置において、自動取引装置は、利用者に広告情報を表示するタブレット搭載部に相当する第２入力表示部を有し、第２入力表示部は、タブレット端末に相当する入力表示端末と、タッチパネルLCDに相当する入力表示端末の入力表示領域を一部覆う操作制限部と、を有する自動取引装置、或いは、勘定系サーバや広告配信サーバを考慮した構成としては、勘定系サーバと通信し、第１入力表示部にて入力された情報に基づいて取引処理を実行する自動取引装置であって、自動取引装置は、広告配信サーバから受信した広告情報を受信し表示する第２入力表示部を有し、第２入力表示部は、入力表示端末と、入力表示端末の入力表示領域を一部覆う操作制限部と、を有する自動取引装置とすることにより、利用者による入力を受け付けつつ、アプリケーション切替や機能切替メニューを操作することを防止することができる。
【００１８】
続けて図６に、図５のシステムによってタブレット端末１８３に対してデジタルコンテンツを配信した場合の例を示す。まず、図６（ａ）によって以下の説明を行う。図６（ａ）はタブレット端末１８３単品での画面表示を示している。図４で記載した通り、タッチパネルＬＣＤ１８３ａのうち、操作制限部１８６で覆わない、利用者に露出する部分が表示部１８３ｆである。タブレット端末１８３にはデジタルコンテンツの再生を行うアプリケーションをインストールしている。このアプリケーションは、デジタルコンテンツの画面領域を任意に変更できる機能を有しており、デジタルコンテンツを予め設定した表示部１８３ｆにあわせて縮小して再生する。
【００１９】
ここで、操作制限部１８６が非透明色である場合には、操作制限部１８６によって覆われた画面領域以外の表示部１８３ｆに相当する入力表示部に併せて画面サイズを制御或いは予め設定する必要がある。また、タッチパネルＬＣＤ１８３ａにはアプリケーション切替等ボタン領域１８３ｂが常時表示されている。これはＯＳが提供する機能であり、デジタルコンテンツの再生を行うアプリケーションが制御する部位ではない。デジタルコンテンツの再生を行うアプリケーションは、デジタルコンテンツを縮小したことでタッチパネルＬＣＤ１８３ａに発生する余白を黒で表示している。このような画面表示を行うタッチパネル端末１８３を操作制限部１８６から見た外観が図６（ｂ）である。操作制限部１８６によってタブレット端末タッチパネルＬＣＤ１８３ａ上に、ボタン操作防止領域１８３ｄおよびメニュー表示防止領域１８３ｅを設けることで利用者による操作を防止しつつ、利用者に露出するタブレット端末表示部１８３ｆの操作を可能としている。
【００２０】
以上のごとく、タブレット端末１８３を現金自動預払機１００に搭載するにあたって、利用者に操作されると都合が悪い部位を操作制限部１８６で覆うことで操作防止することができる。また、図７は操作制限部１８６の代替として、前面固定部１８１を絶縁物（成形樹脂品等）で作成し、アプリケーション切替等ボタン領域１８３ｂ、機能切替メニュー１８３ｃを設ける場合の構成図である。この場合、構成部品点数を低減することが可能となる。また、本実施例に限らず、アプリケーション切替等ボタン領域１８３ｂ、機能切替メニュー１８３ｃを覆う方法は制限を設けないものとする。
【００２１】
また、操作制限部１８６が非透過色であること、即ち、利用者がボタン操作防止領域１８３ｄ、メニュー表示防止領域１８３ｅの下のタブレット端末に表示する画面を視認できない構造を前提として説明したが、操作制限部１８６を透過色とし、利用者がその下のアプリケーション切替等ボタン領域を視認できる構造としてもよい。この構造とすることで、タッチパネルＬＣＤ１８３ａより狭い表示部１８３ｆにデジタルコンテンツを表示したが、タブレット端末タッチパネルＬＣＤ１８３ａの全体を使用してデジタルコンテンツを表示することができるため、操作制限部で覆われていない領域に表示領域を制御する必要がなくなり制御が簡単になる 
【符号の説明】
【００２２】
１００…現金自動預払機
１１０…制御部
１２０…利用者操作画面
１３０…カードユニット
１４０…通帳ユニット
１５０…紙幣ユニット
１６０…硬貨ユニット
１７０…記憶部
１８０…タブレット搭載部
１８１…タブレット端末  前面固定部
１８２…タブレット端末  中間固定部
１８３…タブレット端末
１８３ａ…タブレット端末タッチパネルＬＣＤ
１８３ｂ…アプリケーション切替等ボタン領域
１８３ｃ…機能切替メニュー
１８３ｄ…ボタン操作防止領域
１８３ｅ…メニュー表示防止領域
１８３ｆ…タブレット端末表示部
１８４…タブレット端末  背面固定部（下）
１８５…タブレット端末  背面固定部（上）
１８６…タブレット端末操作制限部
２００…現金自動預払機１００に接続するルータ
２０１…勘定系サーバ３００と接続するルータ
２１０…タブレット端末１８３と接続するルータ
２１１…広告配信サーバ４００と接続するルータ
３００…勘定系サーバ
４００…広告配信サーバ
【図１】
2017138640.tif 000003
【図２】
2017138640.tif 000004
【図３】
2017138640.tif 000005
【図４】
2017138640.tif 000006
【図５】
2017138640.tif 000007
【図６】
2017138640.tif 000008
【図７】
2017138640.tif 000009